(57)【要約】【課題】無線基地局ＤｅＮＢは、ＲＲＣコネクションを設定する際に、ＡＳレベルで、リレーノードＲＮからのアクセスであるのか、或いは、移動局ＵＥからのアクセスであるのかについて知ることができる。【解決手段】本発明に係る移動通信方法は、リレーノードＲＮと無線基地局ＤｅＮＢとの間で、ＲＲＣコネクションを設定する際に、リレーノードＲＮが、無線基地局ＤｅＮＢに対して、「ＲＮＡｃｃｅｓｓ」を示す「ＥｓｔａｂｌｉｓｈｍｅｎｔＣａｕｓｅ」を含む「ＲＲＣＣｏｎｎｅｃｔｉｏｎＲｅｑｕｅｓｔ」を送信する工程を有する。【選択図】図４
2012023577.tif 000002
【特許請求の範囲】
【請求項１】
リレーノードと無線基地局との間で、ＲＲＣコネクションを設定する際に、該リレーノードが、該無線基地局に対して、リレーノードからのアクセスであることを示す設定理由を含むＲＲＣコネクション要求信号を送信する工程を有することを特徴とする移動通信方法。
【請求項２】
前記無線基地局が、前記設定理由に基づいて、前記ＲＲＣコネクションの構成を決定する工程を有することを特徴とする請求項１に記載の移動通信方法。
【請求項３】
前記無線基地局が、前記設定理由に基づいて、アクセス制御を行う工程を有することを特徴とする請求項１に記載の移動通信方法。
【請求項４】
リレーノードであって、
無線基地局との間で、ＲＲＣコネクションを設定する際に、該無線基地局に対して、リレーノードからのアクセスであることを示す設定理由を含むＲＲＣコネクション要求信号を送信するように構成されている送信部を具備することを特徴とするリレーノード。
【請求項５】
無線基地局であって、
リレーノードとの間で、ＲＲＣコネクションを設定する際に、該リレーノードから、リレーノードからのアクセスであることを示す設定理由を含むＲＲＣコネクション要求信号を受信するように構成されている受信部と、
前記設定理由に基づいて、前記ＲＲＣコネクションの構成を決定するように構成されている制御部とを具備することを特徴とする無線基地局。
【請求項６】
無線基地局であって、
リレーノードとの間で、ＲＲＣコネクションを設定する際に、該リレーノードから、リレーノードからのアクセスであることを示す設定理由を含むＲＲＣコネクション要求信号を受信するように構成されている受信部と、
前記設定理由に基づいて、アクセス制御を行うように構成されている制御部とを具備することを特徴とする無線基地局。
【発明の詳細な説明】
【技術分野】
【０００１】
本発明は、移動通信方法、リレーノード及び無線基地局に関する。
【背景技術】
【０００２】
ＬＴＥ（Ｌｏｎｇ  Ｔｅｒｍ  Ｅｖｏｌｕｔｉｏｎ）-Ａｄｖａｎｃｅｄ方式の移動通信システムでは、リレーノードＲＮを設置することができる。
【０００３】
かかるリレーノードＲＮは、移動局ＵＥと同様に、無線基地局ＤｅＮＢとの間で、ＲＲＣ（Ｒａｄｉｏ  Ｒｅｓｏｕｒｃｅ  Ｃｏｎｔｒｏｌ）コネクションを設定することができる。
【先行技術文献】
【非特許文献】
【０００４】
【非特許文献１】３ＧＰＰ  ＴＳ３６.３３１  ５.３.３.１
【発明の概要】
【発明が解決しようとする課題】
【０００５】
しかしながら、上述の移動通信システムでは、無線基地局ＤｅＮＢは、ＲＲＣコネクションを設定する際に、ＡＳ（Ａｃｃｅｓｓ  Ｓｔｒａｔｕｍ）レベルで、リレーノードＲＮからのアクセスであるのか、或いは、移動局ＵＥからのアクセスであるのかについて知ることができない。
【０００６】
したがって、無線基地局ＤｅＮＢは、リレーノードＲＮ特有の「Ｃｏｎｆｉｇｕｒａｔｉｏｎ」を有するＲＲＣコネクションを設定したり、リレーノードＲＮに対するアクセス制御を行ったりすることができないという問題点があった。
【０００７】
そこで、本発明は、上述の課題に鑑みてなされたものであり、無線基地局ＤｅＮＢは、ＲＲＣコネクションを設定する際に、ＡＳレベルで、リレーノードＲＮからのアクセスであるのか、或いは、移動局ＵＥからのアクセスであるのかについて知ることができる移動通信方法、リレーノード及び無線基地局を提供することを目的とする。
【課題を解決するための手段】
【０００８】
本発明の第１の特徴は、移動通信方法であって、リレーノードと無線基地局との間で、ＲＲＣコネクションを設定する際に、該リレーノードが、該無線基地局に対して、リレーノードからのアクセスであることを示す設定理由を含むＲＲＣコネクション要求信号を送信する工程を有することを要旨とする。
【０００９】
本発明の第２の特徴は、リレーノードであって、無線基地局との間で、ＲＲＣコネクションを設定する際に、該無線基地局に対して、リレーノードからのアクセスであることを示す設定理由を含むＲＲＣコネクション要求信号を送信するように構成されている送信部を具備することを要旨とする。
【００１０】
本発明の第３の特徴は、無線基地局であって、リレーノードとの間で、ＲＲＣコネクションを設定する際に、該リレーノードから、リレーノードからのアクセスであることを示す設定理由を含むＲＲＣコネクション要求信号を受信するように構成されている受信部と、前記設定理由に基づいて、前記ＲＲＣコネクションの構成を決定するように構成されている制御部とを具備することを要旨とする。
【００１１】
本発明の第４の特徴は、無線基地局であって、リレーノードとの間で、ＲＲＣコネクションを設定する際に、該リレーノードから、リレーノードからのアクセスであることを示す設定理由を含むＲＲＣコネクション要求信号を受信するように構成されている受信部と、前記設定理由に基づいて、アクセス制御を行うように構成されている制御部とを具備することを要旨とする。
【発明の効果】
【００１２】
以上説明したように、本発明によれば、無線基地局ＤｅＮＢは、ＲＲＣコネクションを設定する際に、ＡＳレベルで、リレーノードＲＮからのアクセスであるのか、或いは、移動局ＵＥからのアクセスであるのかについて知ることができる移動通信方法、リレーノード及び無線基地局を提供することができる。
【図面の簡単な説明】
【００１３】
【図１】本発明の第１の実施形態に係る移動通信システムの全体構成図である。
【図２】本発明の第１の実施形態に係る無線基地局及びリレーノードの機能ブロック図である。
【図３】本発明の第１の実施形態に係る移動通信システムで用いられる「ＲＲＣＣｏｎｎｅｃｔｉｏｎＲｅｑｕｅｓｔ」のフォーマットの一例について説明するための図である。
【図４】本発明の第１の実施形態に係る移動通信システムの動作を示すフローチャートである。
【図５】本発明の第１の実施形態に係る移動通信システムの動作を示すシーケンス図である。
【発明を実施するための形態】
【００１４】
（本発明の第１の実施形態に係る移動通信システム）
図１乃至図５を参照して、本発明の第１の実施形態に係る移動通信システムについて説明する。
【００１５】
図１に示すように、本実施形態に係る移動通信システムは、ＬＴＥ-Ａｄｖａｎｃｅｄ方式の移動通信システムであって、無線基地局ＤｅＮＢと、リレーノードＲＮとを具備している。
【００１６】
ここで、無線基地局ＤｅＮＢとリレーノードＲＮとの間は、Ｕｎインターフェースによって接続されており、リレーノードＲＮと移動局ＵＥとの間は、ＲＮ-Ｕｕインターフェースによって接続されている。
【００１７】
図２に示すように、リレーノードＲＮは、プロシージャ制御部１１と、Ｕｎインターフェース１２とを具備している。なお、リレーノードＲＮは、移動局ＵＥとして動作することもできる。
【００１８】
プロシージャ制御部１１は、「ＲＲＣ  ｃｏｎｎｅｃｔｉｏｎ  ｅｓｔａｂｌｉｓｈｍｅｎｔプロシージャ」を実行するように構成されている。
【００１９】
例えば、プロシージャ制御部１１は、無線基地局ＤｅＮＢとの間で、ＲＲＣコネクションを設定する際に、すなわち、「ＲＲＣ  ｃｏｎｎｅｃｔｉｏｎ  ｅｓｔａｂｌｉｓｈｍｅｎｔプロシージャ」において、「ＥｓｔａｂｌｉｓｈｍｅｎｔＣａｕｓｅ」を含む「ＲＲＣＣｏｎｎｅｃｔｉｏｎＲｅｑｕｅｓｔ」を生成するように構成されている。
【００２０】
ここで、プロシージャ制御部１１は、図２に示すように、「ＲＲＣＣｏｎｎｅｃｔｉｏｎＲｅｑｕｅｓｔ」内の情報要素「ＥｓｔａｂｌｉｓｈｍｅｎｔＣａｕｓｅ」に、リレーノードからのアクセスであることを示す「ＲＮＡｃｃｅｓｓ」を設定することができるように構成されている。
【００２１】
Ｕｎインターフェース１２は、無線基地局ＤｅＮＢとの間のインターフェースの役割を果たす。
【００２２】
例えば、Ｕｎインターフェース１２は、「ＲＲＣ  ｃｏｎｎｅｃｔｉｏｎ  ｅｓｔａｂｌｉｓｈｍｅｎｔプロシージャ」において、無線基地局ＤｅＮＢに対して、プロシージャ制御部１１によって生成された「ＲＲＣＣｏｎｎｅｃｔｉｏｎＲｅｑｕｅｓｔ」や「ＲＲＣＣｏｎｎｅｃｔｉｏｎＳｅｔｕｐＣｏｍｐｌｅｔｅ」を送信したり、無線基地局ＤｅＮＢから、「ＲＲＣＣｏｎｎｅｃｔｉｏｎＳｅｔｕｐ」を受信したりするように構成されている。
【００２３】
また、無線基地局ＤｅＮＢは、制御部２１と、Ｕｎインターフェース２２とを具備している。
【００２４】
制御部２１は、リレーノードＲＮとの間で、ＲＲＣコネクションを設定する際に、各種制御を行うように構成されている。
【００２５】
例えば、制御部２１は、受信した「ＲＲＣＣｏｎｎｅｃｔｉｏｎＲｅｑｕｅｓｔ」内の情報要素「ＥｓｔａｂｌｉｓｈｍｅｎｔＣａｕｓｅ」に基づいて、ＲＲＣコネクションの「Ｃｏｎｆｉｇｕｒａｔｉｏｎ」を決定するように構成されていてもよい。
【００２６】
また、制御部２１は、受信した「ＲＲＣＣｏｎｎｅｃｔｉｏｎＲｅｑｕｅｓｔ」内の情報要素「ＥｓｔａｂｌｉｓｈｍｅｎｔＣａｕｓｅ」に基づいて、アクセス制御を行うように構成されていてもよい。
【００２７】
Ｕｎインターフェース２２は、リレーノードＲＮとの間のインターフェースの役割を果たす。
【００２８】
例えば、Ｕｎインターフェース２２は、リレーノードＲＮとの間で、ＲＲＣコネクションを設定する際に、リレーノードＲＮから、「ＲＲＣＣｏｎｎｅｃｔｉｏｎＲｅｑｕｅｓｔ」や「ＲＲＣＣｏｎｎｅｃｔｉｏｎＳｅｔｕｐＣｏｍｐｌｅｔｅ」を受信したり、リレーノードＲＮに対して、「ＲＲＣＣｏｎｎｅｃｔｉｏｎＳｅｔｕｐ」を送信したりするように構成されている。
【００２９】
以下、図４及び図５を参照して、本実施形態に係る移動通信システムの動作について説明する。
【００３０】
第１に、図４を参照して、本実施形態に係る移動通信システムにおけるリレーノードＲＮの動作について説明する。
【００３１】
図４に示すように、リレーノードＲＮは、ステップＳ１０１において、「ＲＲＣ  ｃｏｎｎｅｃｔｉｏｎ  ｅｓｔａｂｌｉｓｈｍｅｎｔプロシージャ」を起動すると、ステップＳ１０２において、リレーノードＲＮとして「ＲＲＣ  ｃｏｎｎｅｃｔｉｏｎ  ｅｓｔａｂｌｉｓｈｍｅｎｔプロシージャ」を起動したか、或いは、移動局ＵＥとして「ＲＲＣ  ｃｏｎｎｅｃｔｉｏｎ  ｅｓｔａｂｌｉｓｈｍｅｎｔプロシージャ」を起動したかについて判定する。
【００３２】
リレーノードＲＮは、リレーノードＲＮとして「ＲＲＣ  ｃｏｎｎｅｃｔｉｏｎ  ｅｓｔａｂｌｉｓｈｍｅｎｔプロシージャ」を起動したと判定した場合、ステップＳ１０３において、「ＲＲＣＣｏｎｎｅｃｔｉｏｎＲｅｑｕｅｓｔ」内の情報要素「ＥｓｔａｂｌｉｓｈｍｅｎｔＣａｕｓｅ」に、「ＲＮＡｃｃｅｓｓ」を設定する。
【００３３】
一方、リレーノードＲＮは、移動局ＵＥとして「ＲＲＣ  ｃｏｎｎｅｃｔｉｏｎ  ｅｓｔａｂｌｉｓｈｍｅｎｔプロシージャ」を起動したと判定した場合、ステップＳ１０４において、「ＲＲＣＣｏｎｎｅｃｔｉｏｎＲｅｑｕｅｓｔ」内の情報要素「ＥｓｔａｂｌｉｓｈｍｅｎｔＣａｕｓｅ」に、「ＲＮＡｃｃｅｓｓ」以外を設定する。
【００３４】
ステップＳ１０５において、リレーノードＲＮは、無線基地局ＤｅＮＢに対して、「ＥｓｔａｂｌｉｓｈｍｅｎｔＣａｕｓｅ」を含む「ＲＲＣＣｏｎｎｅｃｔｉｏｎＲｅｑｕｅｓｔ」を送信する。
【００３５】
第２に、図５を参照して、本実施形態に係る移動通信システムにおいてＲＲＣコネクションを設定する際の動作について説明する。
【００３６】
図５に示すように、リレーノードＲＮは、リレーノードＲＮとして「ＲＲＣ  ｃｏｎｎｅｃｔｉｏｎ  ｅｓｔａｂｌｉｓｈｍｅｎｔプロシージャ」を起動した場合、ステップＳ１００１において、無線基地局ＤｅＮＢに対して、「ＲＮＡｃｃｅｓｓ」が設定されている「ＥｓｔａｂｌｉｓｈｍｅｎｔＣａｕｓｅ」を含む「ＲＲＣＣｏｎｎｅｃｔｉｏｎＲｅｑｕｅｓｔ」を送信する。
【００３７】
ステップＳ１００２において、無線基地局ＤｅＮＢは、リレーノードＲＮに対して、「ＲＲＣＣｏｎｎｅｃｔｉｏｎＳｅｔｕｐ」を送信する。
【００３８】
ここで、無線基地局ＤｅＮＢは、受信した「ＲＲＣＣｏｎｎｅｃｔｉｏｎＲｅｑｕｅｓｔ」内の情報要素「ＥｓｔａｂｌｉｓｈｍｅｎｔＣａｕｓｅ」に設定されている「ＲＮＡｃｃｅｓｓ」に基づいて、リレーノードＲＮ特有のＲＲＣコネクションの「Ｃｏｎｆｉｇｕｒａｔｉｏｎ」を決定してもよい。
【００３９】
また、制御部２１は、受信した「ＲＲＣＣｏｎｎｅｃｔｉｏｎＲｅｑｕｅｓｔ」内の情報要素「ＥｓｔａｂｌｉｓｈｍｅｎｔＣａｕｓｅ」に設定されている「ＲＮＡｃｃｅｓｓ」に基づいて、リレーノードＲＮに対するアクセス制御を行ってもよい。
【００４０】
ステップＳ１００３において、リレーノードＲＮは、無線基地局ＤｅＮＢに対して、「ＲＲＣＣｏｎｎｅｃｔｉｏｎＳｅｔｕｐＣｏｍｐｌｅｔｅ」を送信する。
【００４１】
本実施形態に係る移動通信システムによれば、無線基地局ＤｅＮＢは、ＲＲＣコネクションを設定する際に、受信した「ＲＲＣＣｏｎｎｅｃｔｉｏｎＲｅｑｕｅｓｔ」内の情報要素「ＥｓｔａｂｌｉｓｈｍｅｎｔＣａｕｓｅ」に基づいて、ＡＳレベルで、リレーノードＲＮからのアクセスであるのか、或いは、移動局ＵＥからのアクセスであるのかについて知ることができる。
【００４２】
以上に述べた本実施形態の特徴は、以下のように表現されていてもよい。
【００４３】
本実施形態の第１の特徴は、移動通信方法であって、リレーノードＲＮと無線基地局ＤｅＮＢとの間で、ＲＲＣコネクションを設定する際に、リレーノードＲＮが、無線基地局ＤｅＮＢに対して、「ＲＮＡｃｃｅｓｓ（リレーノードからのアクセスであること）」を示す「ＥｓｔａｂｌｉｓｈｍｅｎｔＣａｕｓｅ（設定理由）」を含む「ＲＲＣＣｏｎｎｅｃｔｉｏｎＲｅｑｕｅｓｔ（ＲＲＣコネクション要求信号）」を送信する工程を有することを要旨とする。
【００４４】
本実施形態の第１の特徴において、無線基地局ＤｅＮＢが、上述の「ＥｓｔａｂｌｉｓｈｍｅｎｔＣａｕｓｅ」に基づいて、ＲＲＣコネクションの「Ｃｏｎｆｉｇｕｒａｔｉｏｎ（構成）」を決定する工程を有してもよい。
【００４５】
本実施形態の第１の特徴において、無線基地局ＤｅＮＢが、上述の「ＥｓｔａｂｌｉｓｈｍｅｎｔＣａｕｓｅ」に基づいて、アクセス制御を行う工程を有してもよい。
【００４６】
本実施形態の第２の特徴は、リレーノードＲＮであって、無線基地局ＤｅＮＢとの間で、ＲＲＣコネクションを設定する際に、無線基地局ＤｅＮＢに対して、「ＲＮＡｃｃｅｓｓ」を示す「ＥｓｔａｂｌｉｓｈｍｅｎｔＣａｕｓｅ」を含む「ＲＲＣＣｏｎｎｅｃｔｉｏｎＲｅｑｕｅｓｔ」を送信するように構成されているＵｎインターフェース１２（送信部）を具備することを要旨とする。
【００４７】
本実施形態の第３の特徴は、無線基地局ＤｅＮＢであって、リレーノードＲＮとの間で、ＲＲＣコネクションを設定する際に、リレーノードＲＮから、「ＲＮＡｃｃｅｓｓ」を示す「ＥｓｔａｂｌｉｓｈｍｅｎｔＣａｕｓｅ」を含む「ＲＲＣＣｏｎｎｅｃｔｉｏｎＲｅｑｕｅｓｔ」を受信するように構成されているＵｎインターフェース２２（受信部）と、上述の「ＥｓｔａｂｌｉｓｈｍｅｎｔＣａｕｓｅ」に基づいて、ＲＲＣコネクションの「Ｃｏｎｆｉｇｕｒａｔｉｏｎ」を決定するように構成されている制御部２１とを具備することを要旨とする。
【００４８】
本実施形態の第４の特徴は、無線基地局ＤｅＮＢであって、リレーノードＲＮとの間で、ＲＲＣコネクションを設定する際に、リレーノードＲＮから、「ＲＮＡｃｃｅｓｓ」を示す「ＥｓｔａｂｌｉｓｈｍｅｎｔＣａｕｓｅ」を含む「ＲＲＣＣｏｎｎｅｃｔｉｏｎＲｅｑｕｅｓｔ」を受信するように構成されているＵｎインターフェース２２と、上述の「ＥｓｔａｂｌｉｓｈｍｅｎｔＣａｕｓｅ」に基づいて、アクセス制御を行うように構成されている制御部２１とを具備することを要旨とする。
【００４９】
なお、上述の無線基地局ＤｅＮＢやリレーノードＲＮや移動局ＵＥの動作は、ハードウェアによって実施されてもよいし、プロセッサによって実行されるソフトウェアモジュールによって実施されてもよいし、両者の組み合わせによって実施されてもよい。
【００５０】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００５１】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ＤｅＮＢやリレーノードＲＮや移動局ＵＥ内に設けられていてもよい。また、かかる記憶媒体及びプロセッサは、ディスクリートコンポーネントとして無線基地局ＤｅＮＢやリレーノードＲＮや移動局ＵＥ内に設けられていてもよい。
【００５２】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００５３】
ＵＥ…移動局
ＤｅＮＢ…無線基地局
ＲＮ…リレーノード
１１…プロシージャ制御部
１２、２２…Ｕｎインターフェース
２１…制御部
【図１】
2012023577.tif 000003
【図２】
2012023577.tif 000004
【図３】
2012023577.tif 000005
【図４】
2012023577.tif 000006
【図５】
2012023577.tif 000007
【手続補正書】
【提出日】平成23年5月23日(2011.5.23)
【手続補正１】
【補正対象書類名】特許請求の範囲
【補正対象項目名】全文
【補正方法】変更
【補正の内容】
【特許請求の範囲】
【請求項１】
リレーノードと無線基地局との間で、ＲＲＣコネクションを設定する際に、該リレーノードが、該無線基地局に対して、リレーノードからのアクセスであることを示す設定理由を含むＲＲＣコネクション確立に係る信号を送信する工程を有することを特徴とする移動通信方法。
【請求項２】
前記無線基地局が、前記設定理由に基づいて、前記ＲＲＣコネクションの構成を決定する工程を有することを特徴とする請求項１に記載の移動通信方法。
【請求項３】
前記無線基地局が、前記設定理由に基づいて、アクセス制御を行う工程を有することを特徴とする請求項１に記載の移動通信方法。
【請求項４】
リレーノードであって、
無線基地局との間で、ＲＲＣコネクションを設定する際に、該無線基地局に対して、リレーノードからのアクセスであることを示す設定理由を含むＲＲＣコネクション確立に係る信号を送信するように構成されている送信部を具備することを特徴とするリレーノード。
【請求項５】
無線基地局であって、
リレーノードとの間で、ＲＲＣコネクションを設定する際に、該リレーノードから、リレーノードからのアクセスであることを示す設定理由を含むＲＲＣコネクション確立に係る信号を受信するように構成されている受信部と、
前記設定理由に基づいて、前記ＲＲＣコネクションの構成を決定するように構成されている制御部とを具備することを特徴とする無線基地局。
【請求項６】
無線基地局であって、
リレーノードとの間で、ＲＲＣコネクションを設定する際に、該リレーノードから、リレーノードからのアクセスであることを示す設定理由を含むＲＲＣコネクション確立に係る信号を受信するように構成されている受信部と、
前記設定理由に基づいて、アクセス制御を行うように構成されている制御部とを具備することを特徴とする無線基地局。